(57)【特許請求の範囲】
【請求項１】
休止状態の移動局と通信する方法であって、
第１の移動局から、該休止状態の移動局にメッセージを送信する要求を受信したことに応答して該休止状態の移動局にページングを行うステップであって、該休止状態の移動局と該第１の移動局の各々は、１つの関連する移動データ・ネットワークを有し、１つのサーバを割り当てられているステップと、
該休止状態の移動局からページング応答信号を受信するステップと、
該ページング応答信号を受信したことに応答して、該休止状態の移動局に割り当てられたサーバで受信したページング・イベント発話通知に基づいて、該第１の移動局に割り当てられているサーバを識別するステップであって、該ページング・イベント発話通知は、該ページング応答信号に基づいて該休止状態の移動局の側の移動データ・ネットワークによって形成されるステップと、
該休止状態の移動局に割り当てられた該サーバからページング・イベント指示を受信したことに応答して、該第１の移動局に割り当てられたサーバによって該第１の移動局に発話指示を与えるステップと、
該ページング応答信号を受信したことに応答して、該休止状態の移動局との接続を確立するステップであって、該発話指示は、該接続を確立するのと同時に該第１の移動局に与えられるステップとを含む方法。
【請求項２】
請求項１に記載の方法において、該第１の移動局から、該休止状態の移動局にメッセージを送信する該要求を受信したことに応答して該休止状態の移動局にページングを行うステップが、該第１の移動局から、該休止状態の移動局にＰｏＣメッセージを送信する要求を受信したことに応答して該休止状態の移動局にページングを行うステップをさらに含む方法。
【請求項３】
請求項１に記載の方法において、
該接続を介して該メッセージを配信するステップとをさらに含む方法。
【請求項４】
請求項３に記載の方法において、該ページング応答信号を受信したことに応答して該休止状態の移動局と該接続を確立するステップが、該ページング応答信号を受信したことに応答して該休止状態の移動局と複数の接続を確立するステップをさらに含む方法。
【請求項５】
請求項１に記載の方法において、該第１の移動局から、該休止状態の移動局に該メッセージを送信する該要求を受信したことに応答して該休止状態の移動局にページングを行うステップが、該第１の移動局から、該休止状態の移動局に音声メッセージを送信する発話の要求を受信したことに応答して該休止状態の移動局にページングを行うステップをさらに含む方法。
【請求項６】
第１の移動局と通信する方法であって、該第１の移動局と第２の移動局の各々は、１つの関連する移動データ・ネットワークを有し、１つのサーバを割り当てられており、
該第２の移動局から、該第２の移動局の側の移動データ・ネットワークを介して、該第１の移動局にメッセージを送信する要求を配信するステップと、
ページング応答信号を受信したことに応答して、該第１の移動局に割り当てられたサーバで受信したページング・イベント発話通知に基づいて、該第２の移動局に割り当てられているサーバを識別するステップであって、該ページング・イベント発話通知は、該ページング応答信号に基づいて該第１の移動局の側の移動データ・ネットワークによって形成されるステップと、
該第１の移動局に割り当てられた該サーバを介して、該第２の移動局に割り当てられたサーバからページング・イベント発話指示を該第２の移動局で受信するステップとを含み、該ページング・イベント発話指示は、該第１の移動局の側の該移動データ・ネットワークと該第１の移動局との間の接続の確立と同時に受信される方法。
【請求項７】
請求項５に記載の方法において、該第１の移動局に該メッセージを送信する該要求を配信するステップが、第１の移動局にＰｏＣメッセージを送信する要求を配信するステップをさらに含む方法。
【請求項８】
請求項６に記載の方法において、該第１の移動局に該メッセージを送信する該要求を配信するステップが、第１の移動局に発話の要求を配信するステップを含む方法。
【発明の詳細な説明】
【技術分野】
【０００１】
本発明は、一般に遠隔通信に関し、より詳細には、無線通信に関する。
【背景技術】
【０００２】
一般に、ＰｏＣシステムは、通常、無線である慣用の警察無線システムまたは消防無線システムに類似した１対多の伝送モードを提供する。単一の基地局を有するアナログ・システムでは、第１のユーザが、プッシュトーク・ボタンによって活動化される初期伝送によって基地局をキャプチャする。第１のユーザの音声伝送が、基地局によって受信され、他のユーザらに再伝送される。第１のユーザによる送信は、第１のユーザがプッシュトーク・ボタンを解放した時点で終了する。これにより、他のユーザが、プッシュトーク・ボタンで自らの無線を活動化することにより、第１のユーザに応答すること、または新たな送信を開始することが可能になる。トーク・ボタンを押した後、ユーザが話すことができるまでの時間である、話すまでの待ち時間は、上記のタイプのシステムでは比較的極めて短い。
【０００３】
パケット・データ・ベースのＰｏＣシステムでは、情報は、パケットで伝送される。音声は、それらのパケット内のデジタル化されたサンプルとして伝送される。次の２つのカテゴリのシグナリング・メッセージが存在し、両方とも、パケットで伝送される。１つのカテゴリのシグナリングは、新規のコールまたは進行中のコールであるＰｏＣコールにユーザが参加することを求める要求を伝える。このカテゴリは、コーデック、ＩＰアドレス、ＵＤＰポートなどのネゴシエーションを含む可能性がある。第２のカテゴリのシグナリングは、ユーザが話すことを要求することができるようにし、他のユーザらが、聴取指示を受信することができるようにする。ユーザらは、第２のカテゴリのシグナリングを使用して、常に一度に１名だけのユーザが話しながら、連発される発話が秩序正しく行き来するようにする。
【０００４】
多くの無線システムでは、移動局は、通常、無線ネットワークに対する常時アクティブな無線接続を有するのではなく、定期的にネットワークに接続し、パケットを交換する。無線ネットワークに常時接続されていることは、移動局１０４の電池寿命と、他のユーザとの関係における無線リソースの利用の両方に悪影響を与える。この理由で、無線ネットワークは、通常、移動局または無線ネットワークの最後のデータ・ビットが送信されたことに続く短いアイドル時間の後、移動局１０４に対する無線接続を解放する。無線ネットワークが、移動局に送信すべき１つまたは複数のパケットを有する場合、無線ネットワークは、移動局にページングを行い、移動局を探し出し、移動局に再接続する。同様に、移動局が、送信すべきパケットを有する場合、移動局は、無線ネットワークにシグナリングを行い、自らを再接続した後、パケットを送信する。この再接続により、ＰｏＣシグナリング・メッセージの転送に大幅な待ち時間が加わり、これは、無線接続を介する移動局１０４と無線ネットワークの間におけるＰｏＣシグナリング・メッセージを転送する待ち時間の増加である。発呼側ユーザの大幅な発話指示待ち時間は、ＰｏＣシステムにおいて問題となっている事項である。ユーザが、他のユーザに話をする緊急の必要性を有する可能性があり、あるいは大幅な待ち時間が、設計上の欠陥と見なされる可能性がある。
【０００５】
大幅な待ち時間は、ＰｏＣシステムにおいて望ましくない問題であるが、それに対抗して、ユーザが話すように正確な指示を提供する必要性も存在する。例えば、誤った発話指示は、ユーザが、別のコールの試行で、自らの発話を繰り返さなければならないことをもたらす。実際、一部のユーザは、不正確な発話指示に慎重になり、発話指示にもかかわらず、誰かが実際に聴いていることをまず確認することを身につけ、ＰｏＣサービスの全体的なユーザ体験が損なわれる可能性がある。
【０００６】
当技術分野で慣行となっている１つの待ち時間を短縮する問題解決法は、無確認型の発話指示［ＯＭＡ−ＡＤ］である。無確認型指示では、少なくとも１つの宛先ユーザにおけるユーザが着信ＰｏＣコールを受け入れることができることを確認するシグナリングの前に、無線ネットワークは、１つまたは複数の宛先移動局がメディアを受信する用意ができているという指示を要求側移動局に提供する。発呼側ユーザが、無確認型発話指示に応答して発話すると、無線ネットワークが、話者の音声パケットをバッファリングする。
【０００７】
宛先移動局が、無線接続（一般に「アクティブな」移動局と呼ばれる）を既に有する場合、無線ネットワークは、移動局にＰｏＣシグナリングを送信して、コールに参加し、音声パケットを受け入れるように移動局に要求する。移動局が、コールを望むとＰｏＣシグナリングで応答すると、無線ネットワークは、バッファリングされた音声をユーザに解放する。
【０００８】
そうではなく、着呼側移動局が、無線接続を有さない場合（一般に「休止状態の」移動局と呼ばれる）、無線ネットワークは、着呼側移動局を探し出し、ページングを行おうと試みる。宛先移動局がページングに応答すると、無線ネットワークは、無線接続を介してその宛先ユーザの移動局に接続、または再接続を行い、新たに確立された無線接続を介してＰｏＣシグナリング・メッセージを移動局に送信する。移動局がＰｏＣシグナリングに応答すると、無線ネットワークは、バッファリングされた音声を宛先移動局に解放する。その他の移動局がページングに応答するにつれ、その他の移動局も同様に再接続され、ＰｏＣシグナリングを受信し、応答し、音声を受信する。
【０００９】
当技術分野で慣行となっている１つの技術は、無線ネットワークが移動局を定期的にポーリングするようにさせて、無線ネットワークが移動局を探し出すことができ、移動局に対する無線接続を確立できることを確実にすることである。これにより、移動局が着信するＰｏＣコール・シグナリングに応答することができる確率が向上し、無確認型発話指示の精度を向上させる。しかし、この定期的なポーリングは、無線リソースに負担をかけるという点で望ましくない。さらに、無確認型発話指示の少なくとも１つの別の欠点は、発話指示の精度が、高い精度で維持することが困難な、または不可能な宛先移動局に関する状態情報の精度に依存することである。
【００１０】
非常に正確な発話指示を要するユーザ向けに、確認型発話指示と呼ばれるＰｏＣ技術分野において慣行となっている別の問題解決法が存在する。確認型発話指示では、無線ネットワークは、移動局が受信に成功し、ＰｏＣシグナリングを送信することによって応答し、これにより、着信ＰｏＣコールを受け入れるまで、発話指示を与えない。この場合、移動局は、本来、無線によって到達可能であり、要求側ユーザから音声パケットを受信する準備ができている。このため、無線ネットワークが話者のメディアをバッファリングする必要がない。残念ながら、以上に略述したとおり、発呼側ユーザは、現在、より長い発話指示待ち時間を被っている。したがって、確認型発話指示の精度は、発話指示待ち時間を犠牲にして向上させられており、発話指示待ち時間は、発呼側ユーザの観点からは好ましくない形で増加する。
【発明の開示】
【発明が解決しようとする課題】
【００１１】
本発明は、以上に提示した諸問題の１つまたは複数を克服するか、または少なくともその効果を抑えることを目的とする。
【課題を解決するための手段】
【００１２】
本発明の一実施形態では、方法が提供される。方法は、第１の移動局から休止状態の移動局にメッセージを送信する要求を受信したことに応答して、休止状態の移動局にページングを行うことを含む。その後、休止状態の移動局からページ応答信号が受信されると、ページ応答信号を受信したことに応答して、発話指示が第１の移動局に与えられる。
【００１３】
本発明の別の実施形態では、方法が提供される。方法は、移動局にメッセージを送信する要求を送信し、次に、ページング・イベント発話指示を受信することを含む。
【００１４】
本発明は、添付の図面に関連して解釈される以下の説明を参照して理解される。図面では、同様の符号が、同様の要素を特定する。
【発明を実施するための最良の形態】
【００１５】
本発明は、様々な変更形態および代替形態が可能であるが、本発明の特定の実施形態を例として図面に示し、以下に詳細に説明する。ただし、特定の実施形態の以下の説明は、本発明を開示する特定の形態に限定するものではなく、反対に、本発明は、添付の特許請求の範囲によって定義される本発明の趣旨および範囲に含まれるすべての変更形態、均等形態、および代替形態を範囲に含むことを理解されたい。
【００１６】
本発明の例示的な実施形態を以下に説明する。簡明にするため、実際のインプリメンテーションのすべての特徴を本明細書で説明することはしない。もちろん、いずれのそのような実際の実施形態の開発においても、インプリメンテーションごとに異なる、システム関連の制約およびビジネス関連の制約の遵守などの開発者の特定の目標を実現するため、多数のインプリメンテーション固有の決定が行われなければならないことが認められよう。さらに、そのような開発作業は、複雑で、時間がかかる可能性があるが、それでも、本開示を利用する当業者には、日常業務的な仕事であることも認められよう。
【００１７】
本発明は本明細書で、無確認型発話指示と同等の待ち時間を有する発話指示、および確認型発話指示と同等の精度を提供することにより、技術の現状を進歩させる。一般に、発呼側ユーザに発話指示を与える決定に関与する３つの構成要素が存在する。その構成要素は、１）発呼側ユーザからのＰｏＣコール、または話す要求を受け入れようという着呼側ユーザまたは着呼側ユーザらの意志、２）無線ネットワークが、移動局を探し出すことができること、および３）無線ネットワークが、必要に応じて１つまたは複数の接続を確立して、ＰｏＣシグナリングおよびメディア（音声）を伝送することができることである。
【００１８】
第１の項目、ＰｏＣコールを受け入れようという宛先ユーザまたは宛先ユーザらの意志は、着呼側ユーザが、コールを受信し、発呼側ユーザから伝送された音声を聴く意志があることを示すパラメータを、無線ネットワークにおける（プレゼンス）サーバ内部で設定していることを意味する。ＰｏＣコールが以前に確立されているが、着呼側移動局が休止状態である場合、その要求は、コールの継続、および発呼側ユーザの音声を聴く要求を表す。着呼側ユーザが設定するパラメータは、通常「プレゼンス」として知られるプロトコル・レジームによって定義される。プレゼンス・パラメータは、当業者には周知であり、したがって、本明細書で詳細に開示することはしない。一般に、プレゼンス・パラメータまたはプレゼンス設定は、ユーザによって、一部の発呼者に対してユーザが存在していると定義し、他の発呼者に対しては、ユーザが存在していないと定義するために設定される。本発明の開示する実施形態を説明する目的で、ユーザは、ＰｏＣコールを受信することを所望するものと想定する。
【００１９】
第２の項目、無線ネットワークがユーザを探し出すことができることは、無線ネットワークが、移動局にページングを行うことができ、移動局がそのページングに応答することができることを意味する。このため、移動局は、無線ネットワークの無線サービスエリア内にあり、さもなければ、移動局は、ページングを受信し、応答することができない。
【００２０】
第３の項目、無線ネットワークが、接続を確立することができることは、無線ネットワークと移動局がＰｏＣメッセージおよびメディアを交換するのに必要とされるのに応じて、無線ネットワークが、無線接続、または無線接続セットを確立することができることを意味する。一般に、ただし、常にではなく、移動局が、無線ネットワークからのページング・メッセージに応答することができる場合、無線ネットワークと移動局は、ＰｏＣシグナリングおよびメディアを交換するために使用される１つまたは複数の無線接続を確立することができる。これは、移動局が、ページングを受信し、応答することができる場合、移動局は、本来、無線ネットワークと無線連絡状態にあるからである。ただし、ページングのために使用される無線リソースと、移動局１０４と無線ネットワークがＰｏＣシグナリングおよびメディアを交換するのに使用する無線接続のために使用される無線リソースは、必ずしも同一ではない。したがって、移動局が、無線ネットワークからのページングに応答することができるが、そのような接続を確立することはできない可能性がある。例として、ＣＤＭＡ２０００における実地経験は、これが、およそ２％の回数で生じることである。
【００２１】
本発明の一実施形態では、休止状態の移動局からのページング応答が、発呼側ユーザに対する発話指示をトリガするのに使用される。この技術は、移動局が無線サービスエリア内にあることを証明するため、移動局が接続されており、着信コールを受信できることを単に推測するより正確であるか、あるいは、正確な推測を行うのに依拠する高い精度の状態を維持するための高い費用の（一般に、実行不可能な）ポーリングを要さない。他方、この技術は、移動局が、接続を確立した後、その接続を介してＰｏＣシグナリングを受信することを要さないため、確認型発話指示アプローチよりも待ち時間が短い。
【００２２】
本明細書で説明するシステムは、無確認型発話指示および確認型発話指示とは異なり、ページング・イベント確認型発話指示と呼ばれ、以下により十分に説明する第３の新しいタイプの発話指示を定義している。ページング・イベント確認型発話指示は、［ＯＭＡ−ＡＤ］で見られるような、技術の現状における確認型発話指示および無確認型発話指示とは異なる。というのは、ページング・イベント確認型発話指示は、ユーザが無線到達範囲内にいることを正確に確認するが、実行不可能なポーリングも、接続を確立すること、およびＰｏＣメッセージを送受信することの待ち時間も伴わないからである。さらに、ページング・イベント確認型発話指示では、発呼側ユーザは、移動局が、着信コールに関連するＰｏＣシグナリングを処理しなければならないことに起因する追加の待ち時間も被らない。
【００２３】
特に明記しない限り、または説明から明らかなとおり「処理する」、または「計算する」、または「算出する」、または「判定する」、または「表示する」などの用語は、コンピュータ・システムのレジスタまたはメモリの内部の物理的、電子的量として表されるデータを操作し、コンピュータ・システムのメモリまたはレジスタ、あるいは他のそのような情報記憶デバイス、情報伝送デバイス、または情報表示デバイスの内部の物理的量として同様に表される他のデータに変換する、コンピュータ・システム、デジタル・データ・プロセッサ、デジタル信号プロセッサ、集積回路（例えば、特定用途向け集積回路（ＡＳＩＣ）またはフィールド・プログラマブル・ゲート・アレイ（ＦＰＧＡ））、または類似の電子コンピューティング・デバイスのアクションおよびプロセスを指す。
【００２４】
次に、図面を参照し、特に図１を参照すると、本発明の一実施形態による通信システム１００が示されている。図１は、ＰｏＣシステムをサポートする典型的なパケット・データ無線ネットワーク１０２内部で使用されることが可能なコンポーネントを全体的に示す。１つのネットワーク・プロバイダ、または複数のネットワーク・サービス・プロバイダが、ネットワーク全体を所有する、または保守することが可能である。サービス・プロバイダの数は、本明細書で開示する本発明の様々な実施形態の説明に影響を与えない。
【００２５】
典型的なネットワーク１０２は、移動局１０４、１０６が移動するなかで永続するインターネット・プロトコル（ＩＰ）アドレスを移動局１０４、１０６に提供する、１つまたは複数の移動ルーティング・ネットワーク１０８、１１０を含むことが可能である。移動ルーティング・ネットワークの例が、ＩＳ８３５、ＧＰＲＳなどである。移動ルーティング・ネットワーク１０８、１１０が「遠隔の」地理的場所への移動局１０４、１０６の移動に起因して、ＩＰアドレスを維持することができない場合、移動局１０４、１０６には、移動ルーティング・ネットワーク１０８、１１０によって新たなＩＰアドレスが割り当てされることが可能であり、これにより、ＰｏＣサーバ群１１２が新たなＩＰアドレスで更新される。さらに、一部の移動ルーティング・ネットワークは、移動局１０４、１０６がＩＰアドレスを獲得した場合、または他のイベントが生じた場合に、プレゼンス通知を送信する能力を有する。
【００２６】
無線ネットワーク１１４、１１６が、移動ルーティング・ネットワーク１１８、１１０に結合され、何らかのサービスエリア内で無線接続、および限られた移動性を移動局１０４、１０６に提供するように機能する。典型的な無線ネットワークには、ＩＳ２０００、ＧＳＭ、ＵＭＴＳなどが含まれることが可能である。移動ルーティング・ネットワーク１０８、１１０、および無線ネットワーク１１４、１１６は一緒に、図１に示す移動データ・ネットワーク１１８、１２０を形成する。
【００２７】
移動局１０４、１０６がアクティブな接続を有する場合、移動データ・ネットワーク１１８、１２０内部の無線ネットワーク１１４、１１６は、単に移動局１０４、１０６にパケットを配信する。しかし、移動局１０４、１０６が休止状態である、すなわち、無線接続をまったく有さない場合、移動ルーティング・ネットワーク１０８、１１０は、無線ネットワーク１１４、１１６にパケットを配信し、ネットワーク１１４、１１６が移動局１０４、１０６にページングを行う。これにより、無線ネットワーク１１４、１１６と移動局１０４、１０６の間で無線接続の確立がトリガされる。その時点で、パケットは、その無線接続を介して配信されることが可能である。前述したとおり、一部の無線ネットワーク・レジームに関して、ＰｏＣサービスのために複数の無線接続が要求される可能性がある。
【００２８】
一部の移動データ・ネットワーク１１８、１２０の能力は、移動データ・ネットワーク１１８、１２０が、あるパケットを認識し、そのようなパケットを認識した時点でアクションを実行することを可能にする１つまたは複数のパケット・フィルタを、移動局１０４、１０６が確立することができることである。パケット・フィルタは、ＩＰアドレス、またはＩＰアドレスの範囲、またはポート番号、またはポート番号の範囲、またはパケット内で伝送されるプロトコルのタイプ、または区別化サービス・フィールド、またはセキュリティ・パラメータ・インデックス（ＳＰＩ）フィールドなどで特定のパケット・タイプを認識することができる。さらに詳細な例については、ＩＳ８３５およびＧＰＲＳを参照されたい。トンネリングされるパケットの場合、内部パケット・レイヤに作用するパケット・フィルタを指定することが可能であり、ここで、トンネリングされるパケットとは、全体的なパケットが内部パケットを伝送することを暗示する。内部パケットは、ときとして「カプセル化された」という言い方をされる。パケット・フィルタの一般的な用途は、一部のパケットを認識し、それらのパケットを、特定のサービス品質、または専用の圧縮を提供する特定の無線接続を介して送信することである。また、移動局が前述の機能を積極的に実行しなければならないのではなく、ネットワーク事業者が、移動局に代行してパケット・フィルタを管理上、構成することも可能である。一部の状況では、これは、移動局の設計を簡単にし、場合により、移動局をより安価にする、またはより早く入手可能にするため、好ましい。
【００２９】
図示する実施形態では、シグナリング・ネットワーク１２２が、ＰｏＣサーバ群１１２と移動ルーティング・ネットワーク１１８、１２０の間でＰｏＣシグナリング・メッセージ接続を提供する。少なくとも一部のアプリケーションでは、シグナリング・ネットワーク１２２は、ＰｏＣサーバ１１２の特定の１つを移動局１０４、１０６の特定の１つに割り振り、割り当てる。前述したとおり、ＰｏＣシステムにおいて２つのカテゴリのシグナリング・メッセージが存在する。両方がパケットで伝送される。１つのカテゴリのシグナリングは、ユーザがＰｏＣコールに参加することを要求するとともに、コールを開始する。第２のカテゴリのシグナリングは、他のユーザらが、コール上で聴くだけの指示を受け取って、ユーザが、話すことを要求することができるようにする。この第２のタイプのシグナリングは、２名のユーザが、おおよそ同時に話すことを要求した場合に、調停機能を提供する。ＰｏＣシグナリングは、パケットで伝送されるので、前段で説明したフィルタが、ＰｏＣシグナリングを認識することができる。
【００３０】
シグナリング・ネットワーク１２２は、２つの異なるモードで動作することができる。第１のモードでは、シグナリング・ネットワークは、単にＩＰネットワークとして動作し、移動局１０４、１０６とＰｏＣサーバ１１２の間でパケットを転送する。この場合、パケットは、シグナリング・ネットワーク１２２を伝送される際、変更されずに、ＰｏＣサーバ１１２または移動局１０４、１０６に着信する。詳細には、移動データ・ネットワーク１１８、１２０が、ＰｏＣシグナリングを送信したＰｏＣサーバ１１２のＩＰアドレスを特定することができる。本発明の観点では、シグナリング・ネットワーク１２２は、ＰｏＣシグナリング・メッセージにトランスペアレントである。本発明の観点では、ＰｏＣシステムをサポートする、無線ネットワーク内に示されていない何らかの１組のエンティティまたは他のコンポーネントが、シグナリング・パケットのＩＰアドレスを新たなアドレスに変更した場合、それらのコンポーネント自体が、新たなアドレスを元のアドレスに再マッピングすることができる。シグナリング・ネットワークは、ＩＰネットワークとして動作するように定義され、ＰｏＣシグナリングに対して実質的にトランスペアレントである。いずれのそのような再マッピング技術も、本発明には関係しない。というのは、再マッピング技術は、本明細書における本発明の原理または動作に影響を与えないからである。
【００３１】
第２のモードのシグナリング・トランスポートにおいて、シグナリング・ネットワーク１２２内部のエンティティが、ＩＰアドレスとは明確に異なるシグナリング・メッセージのシグナリング・アドレスに基づき、経路指定および転送を提供する。シグナリング・ネットワーク１２２内部のエンティティは、ＰｏＣシステムにセキュリティ・サービスおよび圧縮サービスを提供することもできるとともに、シグナリング・メッセージの再伝送を提供するプロトコル・レイヤを有する。シグナリング・ネットワーク１２２内部のエンティティ自体は、トランスポート・レイヤとしてＩＰネットワークに依拠する。シグナリング・ネットワークが、ＰｏＣシグナリングを経路指定し、転送すると、パケットのＩＰアドレスなどの、パケットのシグナリング固有のコンポーネントが変更される。シグナリング・ネットワーク１２２は、シグナリング・メッセージのＰｏＣコール固有でないコンポーネントに影響を与えるが、ＰｏＣシグナリング・メッセージのＰｏＣコール固有のコンポーネント、例えば、誰が呼び出されているか、またはコールに関して所望されるコーデック・タイプを検査する、または変更することはしない。重要なこととして、移動局１０４、１０６、および移動データ・ネットワーク１１８、１２０の観点から、このシグナリング・トランスポート・モードでは、シグナリング・パケットは、シグナリング・ネットワーク１２２内部の最後のシグナリング・エンティティによって送信されているように見える。すなわち、パケットは、ＰｏＣシグナリングを送信したＰｏＣサーバ１１２のＩＰアドレスを有さない。
【００３２】
図１のＰｏＣサーバ群１１２は、ＰｏＣコール制御機能を提供し、ニックネームまたはグループ名を実際の個人にまで拡張すること、ユーザが他のＰｏＣユーザにＰｏＣコールを行うことができるように認証および許可を行うこと、ＵＤＰポートの割り振りを実行すること、メディア複製、またはメディア複製の制御などの機能、ならびにその他の諸機能を実行する。ＰｏＣサーバ群１１２の正確な構成および数は、本発明に重要ではなく、本発明の趣旨および範囲を逸脱することなく、多種多様であることが可能であることが当業者には認められよう。
【００３３】
プレゼンス・サーバ群１２４が、ＰｏＣに関連するサービスを提供する。プレゼンス・サーバ１２４の１つの用途は、他のユーザらが、または特定のユーザらがコールを行うことをユーザが所望するか否かを示すユーザ・ステータスの格納である。本発明の観点では、プレゼンス・サーバ１２４が、ＰｏＣサーバ群１１２が使用するのと同一のシグナリング・プロトコルを利用することは必要ない。ただし、非常にしばしば、ＰｏＣシステムをサポートする一般的に展開される無線ネットワークではそうしている。プレゼンス・サーバ群がＰｏＣシグナリングと同一のプロトコルを使用するか否かは、本発明に影響を与えず、このため、本発明を不必要に不明瞭にするのを避けるため、本明細書で詳細に説明することはしない。
【００３４】
図１に示したエンティティまたはコンポーネントの構成は、本発明の諸態様の少なくともいくつかを有利に使用することができる無線ネットワークの一実施形態を表す。図示していないが、想定されているのが、エンティティ間におけるＩＰパケットのトランスポートを可能にする基礎にあるＩＰネットワークである。このＩＰネットワークは、ユーザ音声を伝送するメディア・パケットもトランスポートする。さらに、正確なＩＰトランスポート・エンベロープおよびトランスポート・プロトコルは、インターフェースごとに異なる可能性があり、例えば、メッセージは、ＰＰＰ無線においてカプセル化されることが可能である。正確なトランスポート・エンベロープおよびトランスポート・プロトコルは、本発明の趣旨および範囲を逸脱することなく、アプリケーションごとに異なる可能性がある。
【００３５】
本明細書で説明する実施形態では、２つのクラスのページング・イベント指示が使用されることが可能である。第１に、直接ページング・イベント発話指示が使用されることが可能である。移動データ・ネットワーク１１８、１２０が、ＰｏＣシグナリングを送信したＰｏＣサーバ１１２にページング・イベント指示メッセージを送信する。移動データ・ネットワーク１１８、１２０は、シグナリングを送信したＰｏＣサーバのＩＰアドレスに対するアクセスを有し、そのＩＰアドレスを特定することができ、前述の目的でそのＩＰアドレスを使用する。
【００３６】
代替として、間接的なページング・イベント発話指示を使用することもできる。移動データ・ネットワーク１１８、１２０が、ＰｏＣシグナリングを送信したＰｏＣサーバ１１２に通知を行う中間エンティティを介して、ページング・イベント発話指示を送信する。移動データ・ネットワーク１１８、１２０は、シグナリングを送信したＰｏＣサーバ１１２のＩＰアドレスに対するアクセスを有さない。ＰｏＣサーバ群１１２および中間エンティティは、ＩＰアドレスではない識別子を使用して、シグナリングを送信したＰｏＣサーバ１１２を特定する。これらのエンティティは、ページング・イベント発話指示メッセージをＰｏＣサーバに配信するのに先立って、途中でページング・イベント発話指示の基礎にあるプロトコルを変更して、ページング・イベント発話指示をさらに操作することもできる。本発明の観点では、ページング・イベント発話指示の正確なプロトコル・タイプは、本発明の原理に影響を与えない。
【００３７】
前述したとおり、一部の無線ネットワークでは、図１のシグナリング・ネットワーク１２２が、一部の、またはすべてのＰｏＣシグナリング・メッセージのＩＰアドレスを変更する。ＰｏＣシグナリング・ネットワーク１２２が、ＰｏＣシグナリング・メッセージの暗号化および／または圧縮も行う場合、移動データ・ネットワーク１２２は、ＰｏＣサーバ１１２のＩＰアドレスをまったく特定することができない可能性がある。その場合、直接ページング・イベント指示動作は、適用可能ではなく、間接ページング・イベント動作が使用される。
【００３８】
間接ページング・イベント指示と直接ページング・イベント指示はともに、オプションとして、移動データ・ネットワーク・フィルタが認識したＰｏＣシグナリング・メッセージのコピーを含む可能性がある。少なくとも、指示は、ＰｏＣサーバ１１２が、着呼側移動局１０４、１０６を識別するのに十分な情報を含む。この機構の好ましい実施形態は、ページング・イベント発話指示の中に、フィルタが認識した正確なシグナリング・メッセージをＰｏＣサーバ１１２が識別するのに十分な情報が存在することである。
【００３９】
一部の展開では、ＰｏＣサーバ１２２が、移動局宛のページング・イベント発話指示の着信を、その移動局に送信された最新のＰｏＣシグナリング・メッセージと一時的に関連付けるだけで十分である可能性がある。例えば、そのようなシグナリング・メッセージが１つだけ送信されており、ＰｏＣシグナリングが着呼側移動局に送信された１秒後に、ページング・イベント指示が、移動データ・ネットワーク１１８、１２０からＰｏＣサーバ１２２に着信した場合、これが、普通、ページング・イベント指示が該当するＰｏＣシグナリング・メッセージを識別するのに十分である。
【００４０】
本発明の一実施形態では、移動データ・ネットワーク１１８、１２０が、ＰｏＣシグナリングから送信側ＰｏＣサーバ１１２のＩＰアドレスを特定する３つの方法を説明する。第１の方法は、移動データ・ネットワーク１１８、１２０を使用して、ＩＰ経路指定の観点からは、対応ノードのアドレスと呼ぶことができる、ＰｏＣシグナリング・パケットの送信元ＩＰアドレスを検査する。つまり、ＰｏＣシグナリングを送信したＰｏＣサーバ１１２が、対応ノードである。このため、この送信元ＩＰアドレスは、対応ノード・アドレスとも呼ばれる。前述したとおり、トンネリングおよびカプセル化が関与する一部のトランスポート構成では、対応するアドレスは、パケットの送信元アドレスそのものではない可能性があるが、それでも、他のＩＰレイヤ、またはＩＰヘッダの諸部分の中に含まれる。一例は、この場合は、ＰｏＣサーバ１１２のアドレスである、対応ノード・アドレスを指定が明確に識別する、並置の気付けアドレス・モバイルＩＰ（ＭＯＢＩＬＥＩＰ）である。
【００４１】
移動データ・ネットワーク１１８、１２０が、ＰｏＣシグナリングから送信側ＰｏＣサーバのＩＰアドレスを特定する第２の方法は、移動局１０４、１０６が、ＰｏＣシグナリングを認識したフィルタにおけるＰｏＣサーバ１１２のＩＰアドレスを、移動データ・ネットワーク１１８、１２０に知らせることである。これは、もちろん、移動局１０４、１０６が、移動局１０４、１０６のＰｏＣサーバ１１２のＩＰアドレスを有するか、または解決できることを要求する。少なくとも一部のＰｏＣシステムでは、移動局１０４、１０６は、このＩＰアドレスを獲得すること、または解決することを許されないが、この方法は、完全さを意図して含められる。
【００４２】
移動データ・ネットワーク１１８、１２０が、ＰｏＣシグナリングから送信側ＰｏＣサーバ１１２のＩＰアドレスを特定する第３の方法は、ＰｏＣシグナリングが暗号化されていない、または圧縮されていないことに依拠し、移動データ・ネットワーク１１８、１２０が、ＰｏＣシグナリング内のＰｏＣシグナリング・パラメータの少なくともいくつかを理解することをさらに想定する。その場合、移動データ・ネットワーク１１８、１２０は、シグナリング・メッセージからＰｏＣサーバのＩＰアドレスを抽出するか、あるいは移動データ・ネットワーク１１８、１２０がＰｏＣサーバＩＰアドレスに解決することができる間接情報をＰｏＣシグナリングから抽出する。データ・ネットワーキング技術分野の慣行では、これは、ときとして、レイヤ違反と呼ばれる。というのは、移動データ・ネットワーク１１８、１２０が、移動データ・ネットワーク１１８、１２０の権限に適切に含まれないプロトコル・レイヤにアクセスするからである。この用語法にもかかわらず、レイヤ違反は、多くのデータ・ネットワーキング・レジームにおいて広く慣行となっている。移動データ・ネットワーク１１８、１２０は、それらのレイヤを検査して、ＰｏＣシグナリングを送信したＰｏＣサーバ１１２のＩＰアドレスを特定した場合、通常、それらのレイヤを実質的な形で変更、または改変することをしない。
【００４３】
ＰｏＣシグナリング・メッセージが暗号化され、ＰｏＣシグナリング・ネットワーク中間装置が、ＰｏＣシグナリングの転送に関与している場合、直接ページング・イベント発話指示は、適用できない可能性があり、間接ページング・イベント発話指示を代りに使用できることが、当業者には認められよう。
【００４４】
移動データ・ネットワーク１１８、１１２が、オプションとして、移動データ・ネットワーク・フィルタがページング・イベント発話指示として認識したＰｏＣシグナリング・メッセージをコピーする理由は、ＰｏＣサーバ１１２が、ページング・イベント発話指示を受信した際、セキュリティ証明書を検査して、メッセージの真正性の絶対的な判定を行うことができるようにするためである。そのようなセキュリティが重要ではない場合、またはそのようなセキュリティをＰｏＣシグナリング自体の暗号化以外の手段によって実現することができる場合、移動データ・ネットワークがページング・イベント発話指示として認識したＰｏＣシグナリング・メッセージの部分、例えば、移動局１０４、１０６のＩＰアドレスだけを含めることも可能である可能性がある。
【００４５】
直接ページング・イベント発話指示が行われる可能性がある典型的なシナリオを図２に示す。本発明を不必要に不明瞭にするのを避けるため、図１のシグナリング・ネットワーク１２２は、図２から省略している。このシナリオでは、シグナリング・ネットワーク１２２は、移動データ・ネットワーク１１８、１２０とＰｏＣサーバ群１１２の間でＰｏＣを転送する役割をする。
【００４６】
移動局１０４、１０６には、ＰｏＣサーバ１１２Ａおよび１１２Ｂがそれぞれ、以前に割り当てられているものと想定する。移動局１０６は、休止状態にあり、したがって、無線ネットワーク１１４に対する無線接続を有さないものと想定する。移動局１０４（話者）が、ボタンを押して話すものと想定する。移動局１０４が休止状態にあり、したがって、無線ネットワークに対する無線接続を有さない場合、移動局１０４は、接続を獲得する。
【００４７】
移動局１０４は無線ネットワーク１１６に対する無線接続を介して発話要求メッセージをＰｏＣサーバ１１２Ａに送信し、ネットワーク１１６は、移動パケット・データ・システムおよびＰｏＣシグナリング・ネットワーク１２２を介してそのメッセージをＰｏＣサーバ１１２Ａに転送する。この要求は、移動局１０６、ならびに移動局１０４がコールのために使用することを所望するコーデックのタイプなどの他の情報を明らかにする。一部のコール・シナリオでは、コーデック情報、およびその他のパラメータは、前もってネゴシエートされている。ＰｏＣコールのそのようなパラメータのネゴシエーションの正確なタイミングは、本発明とは関係がない。
【００４８】
ＰｏＣシグナリング要求を受信すると、ＰｏＣサーバ１１２Ａは、ＰｏＣサーバ１１２Ｂが移動局１０６をサポートしていると判定し、接続メッセージをＰｏＣサーバ１１２Ｂに送信する。そのような接続は、一般的なＰｏＣ無線ネットワーク環境において要求される可能性がある。やはりＰｏＣシグナリング・ネットワークを介して、ＰｏＣサーバ１１２Ｂに向かってメッセージが進む際に、中間装置として作用し、追加のＰｏＣ機能を実行する追加のＰｏＣサーバ群（図１で、一括して「ＰｏＣサーバ１１２Ｃ」というラベルが付けられた）も関与することも可能であることが、当業者には認められよう。これらの追加のＰｏＣサーバ群１１２Ｃは、本発明に影響を与えず、図２のメッセージ・フローでは反映されていない。
【００４９】
ＰｏＣサーバ１１２ＡおよびＰｏＣサーバ１１２Ｂが、移動局１０４と移動局１０６の間で転送されるべきメディア用の接続を準備する。本発明の一部の実施形態では、メディアがすべて、両方のＰｏＣサーバ経由ではなく、１つのＰｏＣサーバだけに流れるようにすることが役立つ可能性がある。接続シグナリング・メッセージの目的は、無線ネットワークの現行のポリシーに従って、正しいメディアの経路指定および配信（および複製）を準備することである。さらに、ＰｏＣサーバ１１２Ａ、１１２Ｂが、図２に示していない他のエンティティにメディア複製、およびその他のメディア処理を委託することも可能である。他のエンティティへのそのような委託は、本明細書で説明する本発明に影響を与えない。
【００５０】
ＰｏＣサーバ１１２Ｂへの接続を確立した後、ＰｏＣサーバ１１２Ａは、ＰｏＣシグナリング・ネットワーク１２２を介して「移動局１０６に対して発話する要求」メッセージを移動データ・ネットワーク１１８に送信する。ＰｏＣサーバ１１２Ｂは、その「移動局１０６に対して発話する要求」を移動局１０６の移動データ・ネットワーク１１８に送信する。
【００５１】
移動データ・ネットワーク１１８は、そのＰｏＣシグナリング（すなわち「移動局１０６に対して発話する要求」メッセージ）をＰｏＣコールを確立すること、または継続することとして認識するフィルタを有し、そのＰｏＣシグナリング・メッセージのコピーを作成する。前述したとおり、このシナリオは、移動局１０６が休止状態にあることを想定している。無線ネットワーク１１４が、ページング・メッセージを移動局１０６に送信して、移動局１０６に対する接続をトリガする。移動データ・ネットワーク１１８は、ＰｏＣサーバ１１２ＢのＩＰアドレスを特定することができる。移動局１０６は、ページング応答でそのページングに応答する。移動局１０６は、移動局１０６の無線ネットワーク１１４に対する接続を確立するプロセスを開始する。
【００５２】
移動データ・ネットワーク１１８が、移動局１０６からページング応答メッセージを受信し、ページング・イベント発話指示をＰｏＣサーバ１１２Ｂに送信する。ページング・イベント発話指示は、移動局１０６の少なくともＩＰアドレスを有するが、本発明の一実施形態では、発話指示は、移動局１０６に対するページング要求をトリガした「移動局１０６に対して発話する要求」メッセージ全体のコピーを有する。ＰｏＣサーバ１１２Ｂは、このコールに関するＰｏＣサーバ１１２Ａを識別する。ＰｏＣサーバ１１２Ｂは、ＰｏＣサーバ１１２Ａが、ページング・イベント発話指示で識別されたコールに関連しているため、シグナリングが該当するコールを識別することができる。ページング・イベント発話指示が、フィルタによって認識されたＰｏＣシグナリング・メッセージ全体（図２の「移動局１０６に対して発話する要求」）を有する場合、コールを識別するのに、したがって、ＰｏＣサーバ１１２Ｂを識別するのにそれで十分である。代替として、ページング・イベント発話指示が、移動局１０６のＩＰアドレスだけを含む場合、コールを認識するのに、したがって、ＰｏＣサーバ１１２Ａを認識するのにそれで十分である可能性が高い。というのは、ＰｏＣシグナリングの慣行では、一度に移動局に送信される要求は、１つだけだからである。定義により、ＰｏＣサービスでは、一度に１つだけの移動局が、発話することを許される。無線ネットワークＰｏＣサーバは、ＰｏＣコール要求におけるアドレス指定に応じて、所与のユーザ、または所与のグループのユーザに対して、任意の所与の時点で発話する１つだけの移動局を決定するものと期されている。したがって、ＰｏＣサービスでは、移動局が、複数の移動局に関係する要求を同時に受信することは、一般に生じない。
【００５３】
ＰｏＣサーバＢは、ページング・イベント発話指示をＰｏＣサーバ１１２Ａに送信する。ＰｏＣサーバ１１２Ａは、移動局１０６がコールを受け入れたというページング・イベント確認型発話指示を移動局１０４に送信する。ユーザは、移動局１０４に向かって発話し、ＰｏＣサーバ１１２Ａが、移動局１０４のメディア（音声）をバッファリングすることを始める。
【００５４】
次に、移動局１０６が、現時点で、図１のポリシーまたは無線ネットワークに従って、１つまたは複数の無線接続を確立しており、移動データ・ネットワーク１１８が、移動局１０６に対して発話する要求メッセージを移動局１０６に送信するものと想定する。移動局１０６が、１つまたは複数の無線接続を確立することができなかった場合、現在、発話している着呼側ユーザに、コールが失敗したことが知らされる必要がある。発話しているユーザがそのように知らされる方法は、本発明の範囲外である。前述したとおり、これは、ページング応答機構に関して、無線接続に関するのとは異なる無線リソースが関わっていることに起因して生じ、稀にしか生じない。
【００５５】
移動局１０６は、ＰｏＣシグナリングを処理し、移動局１０６の移動データ・ネットワーク１１８を介して「移動局１０６受諾」メッセージをＰｏＣサーバ１１２Ｂに送信する。ＰｏＣサーバ１１２Ｂは「移動局１０６受諾」メッセージをＰｏＣサーバ１１２Ａに送信する。ＰｏＣサーバ１１２Ａは、ＰｏＣサーバ１１２Ｂおよび移動データ・ネットワーク１１８を介して、メディア（音声）を移動局１０６に送信する。
【００５６】
以上のシナリオでは、２つのＰｏＣサーバ、すなわち、ＰｏＣサーバ１１２ＡおよびＰｏＣサーバ１１２Ｂが、ＰｏＣコールをサポートする。本発明の代替の実施形態では、単一のＰｏＣサーバを使用して、両方の移動局をサポートすることができる。この単一ＰｏＣサーバ動作モードでは、ＰｏＣサーバは、上記に略述した接続要求メッセージが存在しないこと以外は、前述したすべてのＰｏＣサーバ機能を実行する。
【００５７】
ＰｏＣサーバをそれぞれが有する２つより多くの移動局が存在する場合、本発明の機構は、発呼側移動局のＰｏＣサーバが、場合により、複数のページング・イベント発話指示メッセージを受信することをもたらす。複数のそのようなページング・イベント発話指示の場合、発呼側ＰｏＣサーバは、コールに関与するいずれかのＰｏＣサーバから最初のページング・イベント発話指示が着信すると、ページング・イベント確認型発話指示メッセージを発呼側移動局に与える。その他の指示は、さらなるアクションをまったく要さない。
【００５８】
前述したとおり、着呼側移動局の移動データ・ネットワークは、発呼側移動局をサポートするＰｏＣサーバのＩＰアドレスを特定することができない可能性がある。そのような無線ネットワークの場合、前述した間接ページング・イベント発話指示が適用可能である。
【００５９】
以下のセクションは、無線ネットワーク・ベースのプレゼンス・サービスを使用する間接ページング・イベント発話指示の代替の実施形態を説明する。本発明のこの実施形態は、図１の無線ネットワークのプレゼンス・サービスに関して、以下の想定を使用する。
【００６０】
移動データ・ネットワーク１１８、１２０は、ユーザの移動局１０４、１０６がＩＰアドレスまたはモバイルＩＰ気付けアドレスを受信すると（ときとして「ＩＰアドレス獲得」イベントと呼ばれる）、プレゼンス通知を生成することができる。これは、外部エージェント（ＦＡ）獲得と並置気付けアドレス（ＣｏＡ）獲得とともに含む。モバイルＩＰの場合、しばしば見られるＩＰアドレスは、実際には、ページングに関与しておらず、したがって、ページング・イベント通知にも関与していないホーム・エージェントから来る。
【００６１】
移動データ・ネットワーク１１８、１２０は、プレゼンス通知を図１の着呼側移動局のプレゼンス・サーバ１２４に送信する。この通知は、移動局１０４、１０６が、パケット・データ・サービス能力を有すること、すなわち、移動局１０４、１０６が、ＩＰパケットを送受信する能力を有することをプレゼンス・サーバ１２４に知らせる。このタイプのイベントは、３Ｇ無線ネットワークにおいて一般的に展開される。プレゼンス通知を生成する通常の慣行によれば、プレゼンス通知は、移動データ・ネットワーク１１８、１２０のネットワーク・プレゼンス機能を明らかにする抽象プレゼンス識別子を含む。
【００６２】
移動局１０４、１０６のＰｏＣサーバ１１２は、移動局に関するイベントに関してサブスクライブすることができ、詳細には、ＰｏＣサーバ１１２は、本明細書における本発明のページング・イベントに関連する「ページング・イベント」通知のためにサブスクライブする。
【００６３】
移動局１０４、１０６またはネットワーク動作は、フィルタによって認識されるパケットが受信されると、ページング・イベント通知を生成するフィルタを移動データ・ネットワーク１１８、１２０内部で作成することができる。移動データ・ネットワーク１１８、１２０は、それらの通知を移動局のプレゼンス・サーバ１２４に送信する。本発明の一実施形態では、ページング・イベント通知は、フィルタが認識したＰｏＣシグナリング・メッセージのコピーを含む。少なくとも、通知は、移動局のＩＰアドレスを含む。
【００６４】
以上の想定に基づき、本発明の間接ページング・イベント指示モードは、着呼側移動局のＰｏＣサーバ１１２が、ページング・イベント通知のためにサブスクライブすることによって機能する。次に、図３を参照すると、移動局１０４が、ＩＰアドレスおよび／またはモバイルＩＰ気付けアドレスを獲得する。移動データ・ネットワーク１２０が、プレゼンス通知を移動局のプレゼンス・サーバ１２４に送信する。この通知は、移動局１０４の移動データ・ネットワーク１２０に関連するプレゼンスＩＤを含む。移動局１０４は、ＰｏＣサーバ１１２Ａを割り振られ、ＰｏＣサービスを確立する。これは、移動局１０４がＰｏＣサービスを受ける認証および許可を含む可能性が高い。そのすぐ後に、一部のＰｏＣシステムでは、移動局１０４は、後に行われるコールに関するいくつかのパラメータをネゴシエートすることができる。
【００６５】
ＰｏＣサーバ１１２Ａは、ページング・イベント・サブスクライブ・メッセージを移動局のプレゼンス・サーバ１２４に送信することにより、ページング・イベント通知のためにサブスクライブする。プレゼンス・サーバ１２４は、移動局１０４をサポートする移動データ・ネットワーク１２０にページング・イベント・サブスクライブ・メッセージを送信することにより、ページング・イベント通知のためにサブスクライブする。プレゼンス・サーバ１２４は、このシナリオの上記に明らかにした通知のプレゼンスＩＤを使用して、サブスクリプションを有する移動データ・ネットワーク１２０内部のプレゼンス・エンティティにアドレス指定を行う。
【００６６】
この時点で、図４の移動局１０４が移動局１０６にコールを行うまで、さらなる活動はまったく存在しない。移動局１０４が移動局１０６にコールを行うのは、図３のシナリオが完了した直後であること、またははるかに後であることが可能である。ただし、あまりにも多くの時間が経過すると、サブスクリプションの失効を回避するのに、図３のメッセージの一部、またはすべてが繰り返されなければならない。
【００６７】
図４は、間接ページング・イベント発話指示動作の工程を示す。移動局１０４に、やはり、ＰｏＣサーバ１１２Ａが前もって割り当てられているものと想定する。本発明を不必要に不明瞭にするのを避けるため、このシナリオは、ともに図１に示される、移動局１０４のＰｏＣシグナリング・ネットワーク１２２と移動データ・ネットワーク１２０を省略する。移動局１０６の移動データ・ネットワーク１１８は、移動局１０４に、また移動局１０４からパケットを転送する役割だけをする。ＰｏＣシグナリング・ネットワーク１２２の動作がシナリオに影響を与える場合、以下の文で特記する。
【００６８】
移動局１０６が、移動局１０６の無線ネットワーク１１４に対する接続を有さないものと想定する。移動局１０４（話者）が、ボタンを押して発話するものと想定する。移動局１０４は、無線ネットワークに対する接続を有さない場合、接続を獲得する。
【００６９】
以下のセクションは、以上に述べたシナリオと同一の一般的な想定を行う。ただし、実質的な違いが存在する場合、その違いを詳述する。
【００７０】
移動局１０４が、移動局１０４の無線ネットワーク１１６に対する無線接続を介して、発話要求メッセージをＰｏＣサーバ１１２Ａに送信し、ネットワーク１１６は、移動データ・ネットワーク１２０およびＰｏＣシグナリング・ネットワーク１２２を介して、そのメッセージをＰｏＣサーバ１１２Ａに転送する。ＰｏＣシグナリング要求を受信すると、ＰｏＣサーバ１１２Ａは、ＰｏＣサーバ１１２Ｂが移動局１０６をサポートしていると判定し、ＰｏＣサーバ１１２Ｂに接続メッセージを送信する。ＰｏＣサーバ１１２Ｂに対する接続を確立すると、ＰｏＣサーバ１１２Ａは、移動局１０４からの発話要求メッセージをＰｏＣシグナリング・ネットワーク１２２に送信し、移動データ・ネットワーク１１８に送信し、移動局１０６まで送信する。無線ネットワーク１１４は、ページング要求メッセージを移動局１０６に送信して、移動局１０６に対する接続をトリガする。移動データ・ネットワーク１１８は、想定により、ＰｏＣサーバ１１２ＢのＩＰアドレスを特定することができない。移動局１０６は、ページング応答メッセージでページング要求に応答する。移動局１０６は、この工程で、無線ネットワーク１１４に対する接続を確立することを始める。移動データ・ネットワーク１１８は、ページング応答メッセージを受信し、ページング・イベント発話通知を移動局１０６のプレゼンス・サーバ１２４に送信し、サーバ１２４は、そのような通知に前もってサブスクライブしている（上記の説明を参照）。通知は、移動局１０６の少なくともＩＰアドレスを有するが、本発明の例示する実施形態では、ページング要求を生じさせた移動局１０６に対する発話要求メッセージ全体のコピーを有する。
【００７１】
プレゼンス・サーバ１２４は、ページング・イベント発話通知をＰｏＣサーバ１１２Ｂに送信し、サーバ１１２Ｂは、そのような通知のために前もって登録している。ＰｏＣサーバ１１２Ｂは、プレゼンス・サーバ１２４によって送信された通知を受信し、そのコールに関するＰｏＣサーバ１１２Ａを識別する。ＰｏＣサーバ１１２Ｂは、シグナリングが該当するコールを識別すること、したがって、ＰｏＣサーバ１１２Ａを識別することができる。これは、ページング・イベント発話通知に基づいてコールを識別できることを想定している。ページング・イベント発話通知が、フィルタによって認識されたＰｏＣシグナリング・メッセージ全体（すなわち、図４の「移動局１０６に対して発話する要求」）を有する場合、正確なコールを特定するのに、したがって、ＰｏＣサーバ１１２Ｂを特定するのに、それで十分である。ページング・イベント発話通知が移動局のＩＰアドレスだけを含む場合、コールを認識するのに、したがって、ＰｏＣサーバ１１２Ａを認識するのに、それで十分である可能性が高い。というのは、前述したとおり、ＰｏＣシグナリングの慣行では、一度に移動局に送信されることが許される要求は１つだけだからである。
【００７２】
ＰｏＣサーバ１１２Ｂが、ページング・イベント発話指示をＰｏＣサーバ１１２Ａに送信する。ＰｏＣサーバ１１２Ａは、移動局１０６がコールを受け入れるというページング・イベント確認型発話指示を移動局１０４に送信する。ユーザが、移動局１０４に向かって発話し、ＰｏＣサーバ１１２Ａが、移動局１０４から受信されたメディア（音声）をバッファリングすることを始める。
【００７３】
移動局１０６は、現時点で、無線接続を確立しており、移動データ・ネットワーク１１８が「移動局１０６に対して発話する要求」メッセージを移動局１０６に送信する。移動局１０６は、そのＰｏＣシグナリングを処理し、移動局１０６の移動データ・ネットワーク１１８を介して「移動局１０６受諾」メッセージを移動局１０６のＰｏＣサーバ１１２Ｂに送信する。ＰｏＣサーバ１１２Ｂは「移動局１０６受諾」メッセージをＰｏＣサーバ１１２Ａに送信する。ＰｏＣサーバ１１２Ａは、移動データ・ネットワーク１１８のＰｏＣサーバ１１２Ｂを介して、メディア（音声）を移動局１０６に送信する。
【００７４】
以上のシナリオでは、２つのＰｏＣサーバ、すなわち、ＰｏＣサーバ１１２ＡおよびＰｏＣサーバ１１２Ｂが、ＰｏＣコールをサポートする。同一のＰｏＣサーバが両方の移動局１０４、１０６をサポートする場合、ＰｏＣサーバは、２つのＰｏＣサーバ間で接続メッセージが存在しないこと以外は、前述した諸機能を実行する。
【００７５】
ＰｏＣサーバをそれぞれが有する２つより多くの移動局が存在する場合、本発明の前述した機構は、発呼側移動局のＰｏＣサーバが、場合により、複数のページング・イベント発話指示メッセージを受信することをもたらす。つまり、発呼側移動局のＰｏＣサーバが、各移動局のプレゼンス・サーバからページング・イベント発話指示を受け取った着呼側移動局のＰｏＣサーバを介して、ページング・イベント発話指示を受信する可能性がある。複数のそのようなページング・イベント発話指示の場合、前述した本発明の直接ページング・イベント・モードの場合と同様に、発呼側ＰｏＣサーバが、コールに関与するいずれかのＰｏＣサーバから最初のページング・イベント発話指示が着信すると、ページング・イベント確認型発話指示メッセージを発呼側移動局に与える。その他の指示は、さらなるアクションをまったく要さない。
【００７６】
本明細書の様々な実施形態において例示した様々なシステム・レイヤ、システム・ルーチン、またはシステム・モジュールは、実行可能な制御ユニット（移動ルーティング・ネットワーク１０８、１１０、またはＰｏＣシグナリング・ネットワーク１２２（図１参照））であることが可能なことが、当業者には認められよう。制御ユニットには、マイクロプロセッサ、マイクロコントローラ、デジタル信号プロセッサ、プロセッサ・カード（１つまたは複数のマイクロプロセッサまたはコントローラを含む）、またはその他の制御デバイスまたはコンピューティング・デバイスが含まれることが可能である。以上の説明で言及する記憶デバイスには、データおよび命令を格納するための１つまたは複数のマシン可読記憶媒体が含まれることが可能である。記憶媒体には、ダイナミック・ランダム・アクセス・メモリ（ＤＲＡＭ）またはスタティック・ランダム・アクセス・メモリ（ＳＲＡＭ）、消去可能なプログラマブル読み取り専用メモリ（ＥＰＲＯＭ）、電気的に消去可能なプログラマブル読み取り専用メモリ（ＥＥＰＲＯＭ）、およびフラッシュメモリなどの半導体メモリ・デバイス、固定ディスク、フロッピー（登録商標）・ディスク、リムーバブル・ディスクなどの磁気ディスク、テープを含む他の磁気媒体、ならびにコンパクト・ディスク（ＣＤ）またはデジタル・ビデオ・ディスク（ＤＶＤ）などの光媒体を含む、異なる形態のメモリが含まれることが可能である。様々なシステムにおいて様々なソフトウェア・レイヤ、ソフトウェア・ルーチン、またはソフトウェア・モジュールを構成する命令は、それぞれの記憶デバイスの中に格納されることが可能である。命令は、それぞれの制御ユニットによって実行された際、対応するシステムが、プログラミングされた動作を実行するようにさせる。
【００７７】
以上に開示した特定の実施形態は、単に例示的である。というのは、本発明は、本発明の教示を利用する当業者には明白な、異なるが、均等の形で変更され、実施されることが可能だからである。さらに、添付の特許請求の範囲に記載する以外は、本明細書で示した構成または設計の詳細に限定することを意図していない。したがって、以上に開示した特定の実施形態は、変更される、または改変されることが可能であり、すべてのそのような変形形態が、本発明の範囲および趣旨に含まれるものと考えられることが明白であろう。したがって、本明細書で求めている保護は、添付の特許請求の範囲に記載するとおりである。
【図面の簡単な説明】
【００７８】
【図１】データ・パケット無線ネットワークを示すブロック図である。
【図２】図１に例示したネットワークの直接ページング・イベント動作のコール・シナリオを示す図である。
【図３】間接ページング・イベント指示加入動作のコール・シナリオを示す図である。
【図４】間接ページング・イベント指示動作のコール・シナリオを示す図である。
【図１】
0004732770.tif 000002
【図２】
0004732770.tif 000003
【図３】
0004732770.tif 000004
【図４】
0004732770.tif 000005